(57)【特許請求の範囲】
【請求項１】
前後側が開口されるケース内に冷却管、送風機および除霜用としてのヒーター、あるいはホットガス機能が備えられるとともに、前記前後側の開口部には開閉自在なシャッター羽根が設けられる冷却ユニットにおいて、
前記ケースの一側外面に断熱材より形成される電動モーター収納ボックスと、
前記電動モーター収納ボックス内に、その駆動軸が突出した状態で収納される電動モーターと、
前記電動モーターの駆動軸に装着される歯車に螺合する平歯車によって上下スライド自在に支持される可動部と、
該可動部のスライドに伴ってスライドする係留棒部と、
該係留棒部の上下位置に突設され、前記係留棒部と当接することで前記電動モーターのスイッチをオフ状態として前記可動部のスライドを停止せしめるリミットスイッチと、
前記可動部の両側端に、その一端が連結枢支され、他端が前記シャッター羽根の回転軸に固着される連結部を備え、前記可動部の上下動によりシャッター羽根が開閉され、同シャッター羽根が開いたとき、及び、閉じたときに、前記係留棒部が前記リミットスイッチと当接すべく構成された
ことを特徴とする冷却ユニットにおけるシャッター羽根開閉機構。
【発明の詳細な説明】
【技術分野】
【０００１】
本発明は、冷却ユニットにおけるシャッター羽根開閉機構に関する。詳しくは冷凍・冷蔵室内に設置される冷却ユニット内の霜を光電センサーにより検知し、霜取りを行う冷却ユニットにおけるシャッター羽根開閉機構にかかるものである。
【背景技術】
【０００２】
近年冷凍食品の需要の増加に伴い業務用の冷凍冷蔵庫の付設が多々行われている。
この冷凍冷蔵庫は、冷凍室内に冷却ユニットが設置され、冷凍室外には冷凍機およびコントローラ並びにリモコンスイッチが設けられた構成とされる。
【０００３】
ここで、冷却ユニット１０１は図６に示すように、前後側が開放状とされるケース１０２内にフィンが設けられた冷却管１０３が内包され、その前部に送風機１０４が設置され、この送風機１０４によって冷風を強制的に冷凍室内に送風するものである。
この場合にはケース１０２内の冷却管１０３には冷却過程において霜が付着するために、その除霜機構としてヒーター１０５を上記冷却管１０３の前後側に配設し、ヒーター１０５熱による徐霜が行われるが、ケース１０２の前後側が開放状とされるために、霜取り時の熱がケース１０２外へ放出され、その熱によって天井面に霜が発生することにより庫内温度の上昇につながり、ドリップ現象と呼ばれる温度変化による商品の傷み等が起こるために、前記ケース１０２の前後側のそれぞれの開口部１０６にシャッター羽根１０７を配置し、冷凍庫外に設置したモーターによって霜取り時には前記ケース１０２の開口部１０６を閉塞して熱をケース１０２外へ放出させない機構のものがある（特許文献１参照。）。
【０００４】
【特許文献１】実用新案登録第３０７００１６号公報（要約書、第１図）
【発明の開示】
【発明が解決しようとする課題】
【０００５】
しかしながら電動モーターはユニット内に搭載してシャッター羽根を開閉させるのが構造的にベストではあるが、ユニット内では霜取り時には温度が上がることによる急激な温度変化により電動モーターの軸部に霜が付着して機能が著しく低下するなどの問題がある。そのために図７に示すように冷凍庫外に電動モーター１０８が取り付けられ、この電動モーター１０８を駆動回転させることによって天井に貫通させたシャフト１０９を上下動させるものであるが、シャフト１０９と貫通穴との隙間に侵入した水分が冷凍庫内の冷気によって氷結してシャフト１０９が固着され、無理な負荷により破損して機能を果たせなくなる問題がある。
【０００６】
本発明は、以上の点に鑑みて創案されたものであって、ユニット内に設けた断熱室内に電動モーターを収納することにより、ユニット内における電動モーターの駆動によりシャッター羽根を開閉できる冷却ユニットにおけるシャッター羽根開閉機構を提供することを目的とするものである。
【課題を解決するための手段】
【０００７】
上記の目的を達成するために、本発明に係る冷却ユニットにおけるシャッター羽根開閉機構は、前後側が開口されるケース内に冷却管、送風機および除霜用としてのヒーター、あるいはホットガス機能が備えられるとともに、前記前後側の開口部には開閉自在なシャッター羽根が設けられる冷却ユニットにおいて、前記ケースの一側外面に断熱材より形成される電動モーター収納ボックスと、前記電動モーター収納ボックス内に、その駆動軸が突出した状態で収納される電動モーターと、前記電動モーターの駆動軸に装着される歯車に螺合する平歯車によって上下スライド自在に支持される可動部と、前記可動部の両側端に、その一端が連結枢支され他端が前記シャッター羽根の回転軸に固着される連結部を備え、前記可動部の上下動によりシャッター羽根が開閉される如き構成とする。
【０００８】
ここで、電動モーターを断熱材より形成されるモーター収納ボックス内に設置することによってヒーターによる霜の溶解時における急激な温度上昇、または冷凍時における急激な温度降下を直接に受けることがなく、電動モーターへの温度変化による影響を防ぐことが可能となる。
【０００９】
また、シャッター羽根開閉機構を冷却ユニットに一体的に取る付けることができるために、設置前の点検が可能となることで取り付け時における工事が大幅に簡略化することが可能となる。
【発明の効果】
【００１０】
本発明による冷却ユニットにおけるシャッター羽根開閉機構によれば、霜の付着を光電センサーによって検知して霜取りを行うことにより、常に必要時に一定条件下での霜の溶解が行えることで大幅な節電が可能となる。
【００１１】
さらに、霜取り時には冷却ユニットの開口部を高速遮断して冷凍室内の温度上昇を半減させ、霜取り時間を短縮し、除霜用ヒーターを小さくし節電させると共に、ドリップ現象と呼ばれる温度変化による商品の痛みを大きく低減し、鮮度を保持する効果を奏するものである。
【００１２】
また、電動モーターをユニット内に搭載することによりシャッター羽根の開閉機構を簡素化することができ、かつ故障のない確実なシャッター羽根の開閉が可能となる。
【発明を実施するための最良の形態】
【００１３】
以下、本発明の実施の形態を図面を参酌しながら説明し、本発明の理解に供する。
図１に、本発明を適用した冷却ユニットにおけるシャッター羽根開閉機構の概要を示す説明図、図２に、図１におけるシャッター羽根の配列状態を示す説明図である。
【００１４】
ここで示す冷却ユニット１は、前後側が開放状としたケース２内に冷却管３および除霜用ヒーター４並びに送風機５が内包された機構とする。
【００１５】
そしてケース２の前後側の開口部６、６に、この開口部６、６を任意に開閉可能なシャッター部７、７を設けるものである。
このシャッター部７は、複数枚のシャッター羽根８、８、・・の一端を回転軸９に固着し、この回転軸９の駆動回転により上記シャッター羽根８、８、・・が図中Ａ矢印方向へ回転し、各シャッター羽根８，８、・・の先端が重なり合った状態で上記開口部６を開閉自在とできる機構とするものである。
【００１６】
また、冷却管３のフィン１１間を通過する位置に、光電センサー１０を配置するものであり、この光電センサー１０は発光側と受光側とから構成され、発光側より照射される赤外線がフィン１１間を通過して受光側によって受光検知される機構とする。
【００１７】
したがって、フィン１１間に付着する霜により受光率が低下（例えば８５％前後）する時には除霜用ヒーター４が作動して霜を除去する機構とするものである。
【００１８】
次に図３に示すように、ケース２の左右いずれかの側板１２外面には断熱材より形成されるモーター収納ボックス１３が取り付けられ、このモーター収納ボックス１３内に電動モーター１４が収納されるものである。
【００１９】
ここで、前記電動モーター１４は、自在に正，逆回転運転が可能なモーターとし、電動モーター１４の駆動軸１５は前記モーター収納ボックス１３外壁に開口される挿通孔１６よりケース２外側へ突出される。
【００２０】
そして図４に示すように、前記電動モーター１４の駆動軸１５には歯車１７が装着され、この歯車１７は角パイプにより四辺形状に組み立てられた可動部１８の略中央上下方向に渡設される平歯車１９に螺合される。
【００２１】
ところで前記可動部１８は歯車１７の正，逆回転により上下動することができる機構とするために、可動部１８の左右両側前面にスライド挿通筒体２０、２０が上下方向に固着される。
【００２２】
そこで前記モーター収納ボックス１３の前部には、可動部１８のスライド挿通筒体２０、２０の間隔を設けて前記スライド挿通筒体２０、２０に挿通可能とされるスライド支持棒部２０Ａ、２０Ａが前記モーター収納ボックス１３の上面に立設される支持架台２１によって垂下される。
【００２３】
このように前記スライド支持棒部２０Ａ、２０Ａに可動部１８のスライド挿通筒体２０、２０が上下動自在な状態で嵌挿され、かつ電動モーター１４の駆動軸１５に装着される歯車１７に前記可動部１８の平歯車１９が螺合されることにより、前記歯車１７の正，逆回転により可動部１８が上下動可能な状態となる。
【００２４】
したがって、前記スライド支持棒部２０Ａ、２０Ａによって角パイプにより四辺形状に組み立てられた可動部１８が面状に固定されることで、可動部１８の上下動の際のねじれや変形が防止される。これによりシャッター羽根８を確実に作動させることでケース２の前後側の開口部６を閉める場合にシャッター羽根８間の隙間を生じるのを確実に防止することが可能となる。
【００２５】
また、前記歯車１７は平歯車１９と対峙状に渡設される断面凹部形状の支持アングル部材２１によって歯車１７の外周縁が被包されることによって氷結などにより歯車１７と平歯車１９との歯合が脱落することなく確実に可動部１８の上下動が行える機構とする。
【００２６】
次に、それぞれのシャッター羽根８、８、・・の回転軸９の一端側を前記可動部１８の左右両側枠体２２まで延伸され、その先端に連結部２３がそれぞれ直角状に固着されるものである。
【００２７】
そこで図５に示すように、前記それぞれの連結部２３には長孔２４が開設され、この長孔２４に前記可動部１８の左右両側枠体２２にそれぞれ突設された連結用ピン２５に遊嵌状に挿入し連結を行う機構とするものである。
【００２８】
この長孔２４を設けることによって前記連結用ピン２５によりシャッター羽根８の回転軸９を回転させる際の回転軸９への負担を軽減させることによってシャッター羽根８の回転軸９の変形を防ぎ、その結果ケース２の前後側の開口部６を閉める場合にシャッター羽根８間の隙間を生じるのを確実に防止することが可能となる。
【００２９】
したがって、上記可動部１５を上方にスライドさせることによってシャッター羽根８の回転軸９を中心に連結部２３が上方へ回動することでシャッター羽根８が回転し、ケース２の開口部６を閉塞する状態となる。
【００３０】
ここで、前記モーター収納ボックス１３の側面の上下位置より電動モーター停止用リミットスイッチ２６、２６が可動部１８の枠体内方向へ突設される。そして前記リミットスイッチ２６、２６間の可動部１８の枠体内に係留棒部２７が横架されるものである。
【００３１】
したがって電動モーター１４のスイッチ（図示せず。）がＯＮとなり、歯車１７の駆動回転により可動部１８を上方にスライドさせてシャッター羽根８を閉じたときに係留棒部２７が上部位置のリミットスイッチ２６に当接して電動モーター１４のスイッチがＯＦＦとなるように設定され、また、電動モーター１４のスイッチ（図示せず。）がＯＮとなり、歯車１７を逆方向に駆動回転させて可動部１８を下方にスライドさせてシャッター羽根８を開としたきに係留棒部２７が下部位置のリミットスイッチ２６に当接して電動モーター１４のスイッチがＯＦＦとなり可動部１８を停止させる。
【００３２】
以上の構成よりなる本発明では、冷凍室内に冷却ユニット１が設置され、冷凍室外には冷凍機およびコントローラー並びにリモコンスイッチが設けられる。
【００３３】
そこで前記冷却ユニット１内に設けられる光電センサー１０によってフィン間の霜の付着状態が常に測定され、設定値となった場合にはコントローラーを通じてヒーターによる霜の溶解が行われるとともに、前記コントローラーを通じて電動モーター１４を作動させて可動部１８を上方にスライドさせてシャッター羽根８を閉じたときに係留棒部２７が上部位置のリミットスイッチ２６に当接して電動モーター１４の作動を停止させる。
【００３４】
次に、ヒーターによる霜の溶解が完了した場合には、前記コントローラーを通じて電動モーター１４を作動させて可動部１８を下方にスライドさせてシャッター羽根８を開いたときに係留棒部２７が下部位置のリミットスイッチ２６に当接して電動モーター１４の作動を停止させる。
【００３５】
本発明では電動モーターを断熱材より形成されるモーター収納ボックス内に設置することによってヒーターによる霜の溶解時における急激な温度上昇、または冷凍時における急激な温度降下を直接に受けることがないために、電動モーター内に結露が発生する、あるいは結露が氷結するなどによる故障や破損を防止することが可能となる。
【００３６】
また、冷却ユニット自体に電動モーターおよび可動部を取り付けることにより冷凍室内に設置する前に、操作テストを行うことができ、また取り外しも容易に行うことが可能となる。
【図面の簡単な説明】
【００３７】
【図１】本発明を適用した冷却ユニットにおけるシャッター羽根開閉機構の概要を示す説明図である。
【図２】図１におけるシャッター羽根の配列状態を示す説明図である。
【図３】本発明を適用した冷却ユニットにおけるシャッター羽根開閉機構のモーター収納ボックスの取り付け状態を示す断面説明図である。
【図４】本発明を適用した冷却ユニットにおけるシャッター羽根開閉機構の可動部の取り付け状態を示す説明図である。
【図５】本発明を適用した冷却ユニットにおけるシャッター羽根開閉機構のシャッター羽根の回転軸と連結部との取り付け状態を示す説明図である。
【図６】従来のシャッター羽根付きの冷却ユニットの一例を示す説明図である。
【図７】図６におけるシャッター羽根開閉機構を示す説明図である。
【符号の説明】
【００３８】
１      冷却ユニット
２      ケース
３      冷却管
４      除霜用ヒーター
５      送風機
６      開口部
７      シャッター部
８      シャッター羽根
９      回転軸
１０    光電センサー
１１    フィン
１２    側板
１３    モーター収納ボックス
１４    電動モーター
１５    駆動軸
１６    挿通孔
１７    歯車
１８    可動部
１９    平歯車
２０    スライド挿通筒体
２０Ａ    スライド支持棒部
２１    支持架台
２２    左右両側枠体
２３    連結部
２４    長孔
２５    連結用ピン
２６    リミットスイッチ
２７    係留棒部
【図１】
0004837429.tif 000002
【図２】
0004837429.tif 000003
【図３】
0004837429.tif 000004
【図４】
0004837429.tif 000005
【図５】
0004837429.tif 000006
【図６】
0004837429.tif 000007
【図７】
0004837429.tif 000008